(57)【要約】【課題】エスカチオンを扉に取り付けた後でもエスカチオンの取付位置や姿勢を調整可能とする。【解決手段】本発明は、扉１に内設される錠前２に対応するように扉１の壁面３に設置されるエスカチオンの取付構造であって、錠前２に対向する位置に設けられる錠前対向部分８と錠前２に対向する位置から外れた位置に設けられる錠前非対向部分９とを有するベース部材４と、ベース部材４の錠前対向部分８を扉１に固定するために結合部材と、ベース部材４の錠前非対向部分９に移動可能に取り付けられると共に扉１の壁面３に貼着される可動部材５と、を備え、ベース部材４の錠前非対向部分９は扉１の壁面３に対して移動可能に取り付けられていることを特徴とする。【選択図】図１
2014141778.tif 000002
【特許請求の範囲】
【請求項１】
扉に内設される錠前に対応するように該扉の壁面に設置されるエスカチオンの取付構造であって、
前記錠前に対向する位置に設けられる錠前対向部分と前記錠前に対向する位置から外れた位置に設けられる錠前非対向部分とを有するベース部材と、
該ベース部材の錠前対向部分を前記扉に固定するために結合部材と、
前記ベース部材の錠前非対向部分に移動可能に取り付けられると共に前記扉の壁面に貼着される可動部材と、
を備え、前記ベース部材の錠前非対向部分は前記扉の壁面に対して移動可能に取り付けられていることを特徴とするエスカチオンの取付構造。
【請求項２】
前記可動部材は弾性部材を介して前記ベース部材の錠前非対向部分に取り付けられていることを特徴とする請求項１に記載のエスカチオンの取付構造。
【請求項３】
前記可動部材は前記ベース部材の錠前非対向部分に裏面側から遊嵌可能に形成され、前記弾性部材は前記ベース部材の錠前非対向部分と前記可動部材との間に介装されるバネを備えていることを特徴とする請求項２に記載のエスカチオンの取付構造。
【請求項４】
前記弾性部材は、前記可動部材の左右側方に介装される左右側方バネと、前記可動部材の下方に介装される下方バネと、を備え、前記左右側方バネと前記下方バネはアーム部を介して連結され、前記可動部材の上方の前記錠前非対向部分との間には隙間が形成されていることを特徴とする請求項３に記載のエスカチオンの取付構造。
【請求項５】
前記ベース部材の錠前非対向部分と前記可動部材にはそれぞれ締結具が挿通可能な孔が形成され、いずれか一方の孔は他方の孔より大きい内径を有していることを特徴とする請求項１〜４のいずれか１の請求項に記載のエスカチオンの取付構造。
【請求項６】
前記錠前対向部分にはハンドルの軸が貫通し、前記錠前非対向部分の表面側には電子部品を収容可能な収容凹部が形成され、前記錠前対向部分の上方に前記錠前非対向部分が該錠前対向部分と一体に形成されていることを特徴とする請求項１〜５のいずれか１の請求項に記載のエスカチオンの取付構造。
【発明の詳細な説明】
【技術分野】
【０００１】
本発明は、例えばホテルの客室等の扉の壁面に設置されるエスカチオンの取付構造に関する。
【背景技術】
【０００２】
従来、ホテルの客室において、シリンダーキー方式の錠前では、客室番号を示すキーホルダーが大型化してしまうため、紛失やマスターキーの管理といった利便性に不具合が生じていた。そのため、近年では、磁気カードやＩＣカードを利用した錠前が普及しつつあり、この種の錠前を内設した扉の壁面には錠前をカバーするように、所謂エスカチオンが取り付けられている。
【０００３】
例えば、特許文献１には、扉の内壁面及び外壁面に扉を挟むようにエスカチオンを固定し、各エスカチオンにハンドルを回転可能に設ける構成が開示されている。そして、このエスカチオンにはハンドルの上方にカードリーダが設けられ、ハンドルの下方においてエスカチオンが固定ネジで扉に固定されるようになっている。
【先行技術文献】
【特許文献】
【０００４】
【特許文献１】特開２０１２−１４９４４９号公報
【発明の概要】
【発明が解決しようとする課題】
【０００５】
ところが、上記した従来のエスカチオンでは、錠前に対向している部分はこの錠前を利用して扉に固定することができるが、カードリーダが設置される上方部分は、錠前に対向していないため、この錠前を利用して扉に固定することができない。そのため、エスカチオンの上方部分を扉に固定するには、固定ネジが螺合可能なスタッド等の支持部材を扉の内部に予め設けておく必要がある。このように支持部材を扉の内部に予め設けておくことは、エスカチオンを扉に新設する場合には、比較的容易に行うことができるが、既存の扉にエスカチオンを後から設置する場合には、扉の加工が難しいため、実際には不可能であった。そこで、従来、エスカチオンを既存の扉に設置する場合には、エスカチオンの上方部分を扉の壁面に両面テープ等で貼着していた。
【０００６】
しかしながら、エスカチオンの上方部分を扉の壁面に両面テープ等で貼着してしまうと、扉にエスカチオンを取り付けた後に、ハンドルの芯合せが不完全等の要因によって錠前の作動が重くて操作感が悪いことやエスカチオンを正規の位置からずれた位置に取り付けてしまったこと等に気付いたり、或いは、時間経過と共に扉に反りが発生したりした場合には、エスカチオンの取付位置や姿勢を調整することができないといった問題があった。
【０００７】
本発明は、上記した課題を解決すべくなされたものであり、エスカチオンを扉に取り付けた後でもエスカチオンの取付位置や姿勢を調整することのできるエスカチオンの取付構造を提供することを目的とする。
【課題を解決するための手段】
【０００８】
上記した目的を達成するため、本発明は、扉に内設される錠前に対応するように該扉の壁面に設置されるエスカチオンの取付構造であって、前記錠前に対向する位置に設けられる錠前対向部分と前記錠前に対向する位置から外れた位置に設けられる錠前非対向部分とを有するベース部材と、該ベース部材の錠前対向部分を前記扉に固定するために結合部材と、前記ベース部材の錠前非対向部分に移動可能に取り付けられると共に前記扉の壁面に貼着される可動部材と、を備え、前記ベース部材の錠前非対向部分は前記扉の壁面に対して移動可能に取り付けられていることを特徴とする。
【０００９】
このようにベース部材の錠前非対向部分を扉の壁面に対して移動可能に取り付けることにより、扉にエスカチオンを取り付けた後であっても、エスカチオンの取付位置や姿勢を簡単に調整することができるため、エスカチオンが扉の壁面から浮き上がったり、エスカチオンの壁面への取付強度が低下したりするおそれがない。また、既存の扉にエスカチオンを後から設置する場合でも、扉を加工する必要がないため、簡単に取付作業を行うことができる。
【００１０】
また、本発明に係るエスカチオンの取付構造において、前記可動部材は弾性部材を介して前記ベース部材の錠前非対向部分に取り付けられていてもよい。
【００１１】
このようにベース部材と可動部材との間に弾性部材を介装することにより、扉にエスカチオンを取り付けた後のエスカチオンの取付位置や姿勢の調整作業をより円滑且つ容易に行うことができる。
【００１２】
また、本発明に係るエスカチオンの取付構造において、前記可動部材は前記ベース部材の錠前非対向部分に裏面側から遊嵌可能に形成され、前記弾性部材は前記ベース部材の錠前非対向部分と前記可動部材との間に介装されるバネを備えていてもよい。
【００１３】
このように弾性部材としてバネを使用することにより、弾性部材を簡単に製造することができるため、製造コストの低減化を図ることができる。
【００１４】
また、本発明に係るエスカチオンの取付構造において、前記弾性部材は、前記可動部材の左右側方に介装される左右側方バネと、前記可動部材の下方に介装される下方バネと、を備え、前記左右側方バネと前記下方バネはアーム部を介して連結され、前記可動部材の上方の前記錠前非対向部分との間には隙間が形成されていてもよい。
【００１５】
これにより、ベース部材の錠前非対向部分を上下左右方向に円滑に移動させることができるため、エスカチオンの取付位置や姿勢を簡単に調整することができる。また、左右側方バネと下方バネとがアーム部を介して連結されることにより、部品点数の削減を図ることができ、弾性部材の取付作業の簡素化や製造コストの低減化を図ることができる。
【００１６】
また、本発明に係るエスカチオンの取付構造において、前記ベース部材の錠前非対向部分と前記可動部材にはそれぞれ締結具が挿通可能な孔が形成され、いずれか一方の孔は他方の孔より大きい内径を有していてもよい。
【００１７】
これにより、ベース部材の錠前非対向部分を上下左右方向に円滑に移動させることができるため、エスカチオンの取付位置や姿勢を簡単に調整することができる。
【００１８】
また、本発明に係るエスカチオンの取付構造において、前記錠前対向部分にはハンドルの軸が貫通し、前記錠前非対向部分の表面側には電子部品を収容可能な収容凹部が形成され、前記錠前対向部分の上方に前記錠前非対向部分が該錠前対向部分と一体に形成されていてもよい。
【００１９】
これにより、扉にエスカチオンを取り付けた後であっても、エスカチオンの上部の位置や姿勢を簡単に調整することができるため、エスカチオンの上部が扉の壁面から浮き上がったり、エスカチオンの上部の壁面への取付強度が低下したりするおそれがない。
【発明の効果】
【００２０】
本発明のエスカチオンの取付構造によれば、エスカチオンを扉に取り付けた後でもエスカチオンの取付位置や姿勢を調整することができる等、種々の優れた効果を得ることができる。
【図面の簡単な説明】
【００２１】
【図１】本発明の実施形態に係るエスカチオンの取付構造を示す正面図である。
【図２】図１のＡ−Ａ断面図である。
【図３】本発明の実施形態に係るエスカチオンの裏板を示す背面図である。
【図４】図３のＢ−Ｂ断面図である。
【図５】本発明の実施形態に係るエスカチオンの可動板を示す背面図である。
【図６】図５のＣ−Ｃ断面図である。
【図７】本発明の実施形態に係るエスカチオンのバネ部材を示す正面図である。
【発明を実施するための形態】
【００２２】
以下、図面を参照しつつ、本発明の実施形態に係るエスカチオンの取付構造について説明する。ここで、図１は本発明の実施形態に係るエスカチオンの取付構造を示す正面図、図２は図１のＡ−Ａ断面図、図３は本発明の実施形態に係るエスカチオンの裏板を示す背面図、図４は図３のＢ−Ｂ断面図、図５は本発明の実施形態に係るエスカチオンの可動板を示す背面図、図６は図５のＣ−Ｃ断面図、図７は本発明の実施形態に係るエスカチオンのバネ部材を示す正面図である。
【００２３】
本実施形態は、扉１に内設される錠前２を対応するように扉１の壁面３に設置されるエスカチオンの取付構造であって、ベース部材である裏板４と、裏板４と扉１の壁面３との間に設けられる可動部材としての可動板５と、可動板５と裏板４との間に介装される弾性部材６と、裏板４の表面側を覆うように設けられる装飾板７と、を備えている構成されている。
【００２４】
図３及び図４に良く示されているように、裏板４は、縦長短冊状を成しており、錠前２に対向する位置に設けられる錠前対向部分８と、錠前対向部分８の上方において錠前２に対向する位置から外れた位置に設けられる錠前非対向部分９と、を備えて構成されている。裏板４は、例えばＳＰＣＣ等の鋼板にメッキ処理を施すことにより形成されている。
【００２５】
裏板４の錠前対向部分８は、前面板１０と、前面板１０の左右側端からそれぞれ後方に直角に屈曲して形成された側面板１１と、前面板１０の下端から後方に直角に屈曲して形成された下面板１２と、により構成されている。裏板４の前面板１０の下部には、円形孔１３が形成されており、この円形孔１３にハンドルの軸１４が挿通可能となっている。左右の側面板１１と下面板１２は、それぞれの前面板１０からの長さが同一となるように形成され、裏板４が扉１の壁面３に取り付けられた状態では、側面板１１と下面板１２の先端がそれぞれ扉１の壁面３に当接し、壁面３と前面板１０との間に下方内部空間１４が形成されるようになっている。
【００２６】
裏板４の錠前非対向部分９は、錠前対向部分８の上端から後退するように屈曲し、錠前対向部分８と一体に形成されている。錠前非対向部分９の表面側にはタッチパネル等の電子部品を収容可能な収容凹部１５が形成されている。錠前非対向部分９は、矩形状の開口１６が大きく形成された前面板１７と、前面板１７の左右側端からそれぞれ後方に直角に屈曲して形成された側面板１８と、前面板１７の上端から後方に折り返されて前面板１７と平行を成すように形成された後面板１９と、後面板１９の左右側方において前面板１７の上端から後方に直角に屈曲して形成された上面板２０と、により構成されている。
【００２７】
左右の側面板１８と上面板２０は、それぞれの前面板１７からの長さがいずれも錠前対向部分８の側面板１１及び下面板１２と同一となるように形成され、裏板４が扉１の壁面３に取り付けられた状態では、側面板１８と上面板２０の先端がそれぞれ扉１の壁面３に当接し、壁面３と前面板１７との間に上方内部空間２１が形成されるようになっている。
【００２８】
左右の側面板１８には、中央よりやや下方寄りに矩形状の切欠部２２がそれぞれ形成されている。各切欠部２２の上端の各側面板１８はそれぞれ内側に直角に屈曲され、左右の支持片２３が対向するようにそれぞれ形成されている。
【００２９】
後面板１９は矩形状を成しており、上方内部空間２１内において前面板１７の上端から各支持片２３の上方まで延出している。後面板１９の上下にはそれぞれ調整孔２４が形成されており、各調整孔２４は矩形の四隅を湾曲させた形状を有している。
【００３０】
図５及び図６に良く示されているように、可動板５は、縦長矩形状を成し、裏板４の錠前非対向部分９の上方内部空間２１に配設される。可動板５は、上方内部空間２１の左右方向の幅より小さい幅と、上方内部空間２１の上下方向の長さと略同一の長さと、上方内部空間２１の前後方向の厚みより小さい厚みと、を有しており、錠前非対向部分９に裏面側から遊嵌可能に形成されている。可動板５は、後面板２５と、後面板２５の左右側端からそれぞれ前方に直角に屈曲して形成された側面板２６と、により構成されている。
【００３１】
後面板２５の上部には、裏板２の調整孔２４に対応した位置にそれぞれ円形状の接続孔２７が上下に形成されており、各接続孔２７の外周部には前方に向かって縮径するように傾斜部２８が形成されている。接続孔２７の内径は調整孔２４の内径より小径に形成されている。各調整孔２４及び各接続孔２７には、カシメピン２９が挿通され、カシメピン２９は、フランジ部３０と軸部３１とを有している。なお、接続孔２７と調整孔２４の各内径の大小関係は上記した関係と反対であってもよい。
【００３２】
左右の側面板２６には、上部にそれぞれ小さな矩形状の第１切欠部３２がそれぞれ形成されている。各第１切欠部３２の上端の各側面板２６はそれぞれ内側に直角に屈曲され、左右の第１突起片３３が対向するようにそれぞれ形成されている。また、各第１切欠部３２の下方に第１切欠部３２より上下方向に長い第２切欠部３４がそれぞれ形成されている。各第２切欠部３４の上端の各側面板２６はそれぞれ内側に直角に屈曲され、左右の第２突起片３６が対向するようにそれぞれ形成されている。
【００３３】
弾性部材６は、例えばポリアセタール（ＰＯＭ）製であり、図７に良く示されているように、凹字形状に形成されたアーム部３７を有している。アーム部３７は、左右一対で上下方向に延出する左右鉛直部３８，３９と、左右鉛直部３８，３９の各下端を連結する下方水平部４０と、により構成されている。左方鉛直部３８の上端部左側には左側方バネ４１が固定され、右方鉛直部３９の上端部右側には右側方バネ４２が固定され、下方水平部４０の中央部下側には下方バネ４３が固定されている。
【００３４】
左右側方バネ４１，４２及び下方バネ４３は、それぞれ、板バネにより形成され、内側に湾曲した中央部が接続部４４を介してアーム部３７に固定されている。左右側方バネ４１，４２及び下方バネ４３の両端部には、それぞれ、平坦に形成された接触部４５が形成されている。
【００３５】
次に、上記構成を備えた本実施形態に係るエスカチオンの取付構造において、エスカチオンを扉１の壁面３に取り付ける手順について説明する。
【００３６】
まず、裏板４の錠前非対向部分９の後面板１９に対して、後側から可動板５の後面板２５を各調整孔２４と各接続孔２７の中心がほぼ合致するように重合する。そして、裏板４の前側から各調整孔２４及び各接続孔２７にそれぞれカシメピン２９の軸部３１を挿通させ、軸部３１の後端部を各接続孔２７の傾斜部２８を利用してかしめる。
【００３７】
この時、可動板５の左右の側面板１８と裏板４の左右の側面板１１との間にはそれぞれ略同一幅の隙間４６が形成され、可動板５の上端と裏板４の上面板２０との間には僅かな隙間４７が形成される。
【００３８】
次いで、このように可動板５が取り付けられた裏板４に後側から、弾性部材６のアーム部３７を第１突起片３３と第２突起片３６の間に嵌合する。そうすると、弾性部材６の左右の接続部４４が可動板５の左右の第１切欠部３２を遊挿し、左右側方バネ４１，４２は可動板５の側面板２６と裏板４の側面板１８との間に介装され、下方バネ４３は裏板４の左右の支持片２３上に載置される。これにより、可動板５は、裏板４に対して上下左右に移動可能な状態で取り付けられる。
【００３９】
次いで、裏板４の表面側を装飾板７で覆った後、裏板４の錠前対向部分８をビス等の結合部材（図示省略）で扉１の壁面３に固定すると共に、可動板５の後面板２５に両面テープ４８等で扉１の壁面３に貼着する。
【００４０】
このように上記した本実施形態に係るエスカチオンの取付構造によれば、裏板４の錠前非対向部分９は扉１の壁面３に対して上下左右方向に移動可能な状態で取り付けられるため、例えば、扉１にエスカチオンを取り付けた後に、ハンドルの芯合せが不完全等の要因によって錠前２の作動が重くて操作感が悪いことやエスカチオンを正規の位置からずれた位置に取り付けてしまったこと等に気付いたり、或いは、時間経過と共に扉１に反りが発生したりした場合であっても、エスカチオンの取付位置や姿勢を簡単に調整することができる。したがって、エスカチオンの上部が扉１の壁面３から浮き上がったり、エスカチオンの壁面３への取付強度が低下したりするおそれがない。
【００４１】
また、既存の扉１にエスカチオンを後から設置する場合でも、扉１を加工する必要がないため、取付作業の簡素化を図ることができる。
【００４２】
なお、上記した本発明の実施形態における裏板４に対する可動板５の取付構造及びその方法は、単なる例示に過ぎず、裏板４の錠前非対向部分９が扉１の壁面３に対して上下左右方向に移動可能な状態で取り付けられていれば、他の取付構造や取付方法であってもよい。
【００４３】
また、上記した本発明の実施形態の説明は、本発明に係るエスカチオンの取付構造における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００４４】
１  扉
２  錠前
３  壁面
４  裏板（ベース部材）
５  可動板（可動部材）
６  弾性部材
８  錠前対向部分
９  錠前非対向部分
１５  収容凹部
２４  調整孔
２７  接続孔
２９  カシメピン
３７  アーム部
４１  左側方バネ
４２  右側方バネ
４３  下方バネ
４７  隙間
【図１】
2014141778.tif 000003
【図２】
2014141778.tif 000004
【図３】
2014141778.tif 000005
【図４】
2014141778.tif 000006
【図５】
2014141778.tif 000007
【図６】
2014141778.tif 000008
【図７】
2014141778.tif 000009